(57)【要約】【課題】  メカニカルシャッタを用いずにスミアを低減する。【解決手段】  ＣＣＤイメージセンサ１２は、主感光部と、この主感光部より小さい受光面積を有する副感光部とを複数個備え、被写体光によって主感光部および副感光部に蓄積された信号電荷を、それぞれ電気的な主信号および副信号として出力する。ノイズ低減回路２２は、副信号に基づいてノイズ信号を生成し、このノイズ信号を主信号から減ずることによって主信号のノイズを低減する。また、副感光部の数が主感光部の数より少ない場合や、副信号を間引いて読み出す場合には、ノイズ低減回路２２の前段に、副信号の信号数を補間処理によって変更する補間処理回路を設ける。【選択図】        図１
2007036352.tif 000002
【特許請求の範囲】
【請求項１】
主感光部と、該主感光部より小さい受光面積を有する副感光部とを複数個備え、被写体光によって前記主感光部および前記副感光部に蓄積された信号電荷を、それぞれ電気的な主信号および副信号として出力する撮像素子を備えた撮像装置において、
前記副信号に基づいてノイズ信号を生成し、該ノイズ信号を前記主信号から減ずることによって前記主信号のノイズを低減するノイズ低減手段を設けたことを特徴とする撮像装置。
【請求項２】
前記ノイズ低減手段の前段に、前記副信号の信号数を補間処理によって変更する補間処理手段を設けたことを特徴とする請求項１記載の撮像装置。
【請求項３】
主感光部と、該主感光部より小さい受光面積を有する副感光部とを複数個備え、被写体光によって前記主感光部および前記副感光部に蓄積された信号電荷を、それぞれ電気的な主信号および副信号として出力する撮像素子の信号処理方法において、
前記副信号に基づいてノイズ信号を生成し、該ノイズ信号を主信号から減ずることによって前記主信号のノイズを低減することを特徴とする信号処理方法。
【請求項４】
前記ノイズを生成する前に、前記副信号の信号数を補間処理によって変更することを特徴とする請求項３記載の信号処理方法。
【請求項５】
主感光部と、該主感光部より小さい受光面積を有する副感光部とを複数個備え、被写体光によって前記主感光部および前記副感光部に蓄積された信号電荷を、それぞれ電気的な主信号および副信号として出力する撮像素子の信号処理をコンピュータに実行させる信号処理プログラムであって、
前記副信号を変換してノイズ信号を生成し、該ノイズ信号を主信号から減ずることによって前記主信号のノイズを低減する処理を前記コンピュータに実行させることを特徴とする信号処理プログラム。
【請求項６】
前記ノイズを生成する前に、前記副信号の信号数を補間処理によって変更することを特徴とする請求項５記載の信号処理プログラム。
【発明の詳細な説明】
【技術分野】
【０００１】
本発明は、複数の主感光部と副感光部とを有する固体撮像素子を備えた撮像装置、並びに、該固体撮像素子から出力される撮像信号の信号処理方法およびプログラムに関する。
【背景技術】
【０００２】
デジタルカメラに搭載されるＣＣＤイメージセンサは、スミアと呼ばれるノイズを発生する。スミアは、被写体光のなかに高い輝度をもつスポット状の光が含まれるときに生じやすく、撮影画像において輝度の高い部分の上下に筋状にノイズとして現れる。これは、輝度の高い部分の受光素子に発生する電荷が分離領域を通り抜けて垂直転送路（ＶＣＣＤ）に混入したり、光がＶＣＣＤを覆う遮光膜を透過したり縁から回折してＶＣＣＤに入り込み、フォトダイオードだけでなくＶＣＣＤでも光電変換されることが原因となる。
もスミアの原因となる。
【０００３】
また、スミアの一種として、白浮きと呼ばれるものがある。白浮きは、ＶＣＣＤ中に不要電荷が生じることが原因であり、多くのＶＣＣＤにおいて発生し、撮影画像全体が白っぽく浮いたようになる。この不要電荷は、転送速度の高速化や、ＶＣＣＤでの熱による湧き出しなどによって生じる。
【０００４】
このようなスミアを防止するために、ＣＣＤイメージセンサを搭載したデジタルカメラでは、電子シャッタに加えて、メカニカルシャッタを補助的に用い、電荷の転送中にＶＣＣＤが光にさらされないようにするとともに、受光素子に蓄積された信号電荷をＶＣＣＤに転送する前に、メカニカルシャッタを閉じ、不要電荷をＶＣＣＤから掃き出すようにしたものが知られている（例えば、特許文献１参照）。
【特許文献１】特開平８−８８８０３号公報
【発明の開示】
【発明が解決しようとする課題】
【０００５】
しかしながら、メカニカルシャッタを設けることができない簡易型のデジタルカメラの場合にはもちろんのこと、メカニカルシャッタを備えるデジタルカメラであっても、メカニカルシャッタを開いたまま行う動画撮影の場合には、上記問題を解決することはできない。
【０００６】
ところで、ＣＣＤイメージセンサの中には、主感光部と、この主感光部よりも受光面積が小さい副感光部とからなる受光素子を有するものがある。このようなＣＣＤイメージセンサは、副感光部からの画像信号を用いて主感光部からの画像信号に補間処理を施すことによって高画質（高解像、高ダイナミックレンジ）な撮影画像を得ることを目的としている。
【０００７】
本発明は、複数の主感光部と副感光部とを有する固体撮像素子を用い、メカニカルシャッタを用いずにスミアを低減することを可能とする撮像装置、並びに、該固体撮像素子から出力される撮像信号からスミアを低減する信号処理方法およびプログラムを提供することを目的とする。
【課題を解決するための手段】
【０００８】
本発明の撮像装置は、主感光部と、該主感光部より小さい受光面積を有する副感光部とを複数個備え、被写体光によって前記主感光部および前記副感光部に蓄積された信号電荷を、それぞれ電気的な主信号および副信号として出力する撮像素子を備えた撮像装置において、前記副信号に基づいてノイズ信号を生成し、該ノイズ信号を前記主信号から減ずることによって前記主信号のノイズを低減するノイズ低減手段を設けたことを特徴とする。
【０００９】
なお、前記ノイズ低減手段の前段に、前記副信号の信号数を補間処理によって変更する補間処理手段を設けたことが好ましい。
【００１０】
本発明の信号処理方法は、主感光部と、該主感光部より小さい受光面積を有する副感光部とを複数個備え、被写体光によって前記主感光部および前記副感光部に蓄積された信号電荷を、それぞれ電気的な主信号および副信号として出力する撮像素子の信号処理方法において、前記副信号に基づいてノイズ信号を生成し、該ノイズ信号を主信号から減ずることによって前記主信号のノイズを低減することを特徴とする。
【００１１】
なお、前記ノイズを生成する前に、前記副信号の信号数を補間処理によって変更することが好ましい。
【００１２】
本発明の信号処理プログラムは、主感光部と、該主感光部より小さい受光面積を有する副感光部とを複数個備え、被写体光によって前記主感光部および前記副感光部に蓄積された信号電荷を、それぞれ電気的な主信号および副信号として出力する撮像素子の信号処理をコンピュータに実行させる信号処理プログラムであって、
前記副信号を変換してノイズ信号を生成し、該ノイズ信号を主信号から減ずることによって前記主信号のノイズを低減する処理を前記コンピュータに実行させることを特徴とする。
【００１３】
なお、前記ノイズを生成する前に、前記副信号の信号数を補間処理によって変更することが好ましい。
【発明の効果】
【００１４】
本発明は、主感光部より小さい受光面積を有する副感光部から出力された副信号に基づいてノイズ信号を生成し、このノイズ信号を主信号から減ずることによって主信号のノイズを低減するので、メカニカルシャッタを用いた不要電荷の掃き出しなどを行うことなく、スミアを低減させることができる。
【００１５】
また、本発明は、ノイズを生成する前に、副信号の信号数を補間処理によって変更するので、副感光部の数が主感光部の数より少ない場合や、副信号を間引いて読み出す場合にもメカニカルシャッタを用いた不要電荷の掃き出しなどを行うことなく、スミアを低減させることができる。
【発明を実施するための最良の形態】
【００１６】
図１において、デジタルカメラ１０には、撮像レンズ１１、ＣＣＤイメージセンサ（固体撮像素子）１２、システムコントローラ１３、ＲＯＭ１４、ＲＡＭ１５、操作部１６、液晶表示器（ＬＣＤ）１７などが設けられている。システムコントローラ１３は、操作部１６から入力される操作信号に基づいて、各部の動作制御を行う。ＲＯＭ１４は、制御プログラムや各種設定データを記憶するための不揮発性メモリであり、ＲＡＭ１５は、作業用メモリである。
【００１７】
ＣＣＤイメージセンサ１２は、撮像レンズ１１の後方に配置され、撮像レンズ１１を介して取り込まれた被写体光を撮像（光電変換）する。ＣＣＤイメージセンサ１２には、ＣＣＤドライバ１８が接続されている。ＣＣＤドライバ１８は、タイミングジェネレータ（ＴＧ）１９から入力されるクロックパルスに応じてＣＣＤイメージセンサ１２を駆動制御する。なお、後述するアナログ信号処理回路２０およびＡ／Ｄコンバータ２１にもＴＧ１９からクロックパルスが入力されており、ＣＣＤイメージセンサ１２、アナログ信号処理回路２０、およびＡ／Ｄコンバータ２１の動作は、同期がとられている。
【００１８】
図２において、ＣＣＤイメージセンサ１２には、正八角形の受光素子３０が所定のピッチでハニカム状に複数配列されている。受光素子３０は、主感光部３０ａと、この主感光部３０ａよりも受光面積が小さく低感度の副感光部３０ｂとからなる。各受光素子３０には、転送電極３１ａ，３１ｂが接続されている。転送電極３１ａ，３１ｂは、垂直方向に延在する垂直転送路（ＶＣＣＤ）３２（図３参照）上を横切るように水平方向に延在している。ＶＣＣＤ３２は、チャネルストップ３３ａによって水平方向に分離され、垂直方向端において不図示の水平転送路（ＨＣＣＤ）に接続されている。
【００１９】
図２のＡ−Ａ線に沿う縦断面図を示す図３において、ＣＣＤイメージセンサ１２は、ｎ型半導体基板３４上に形成されている。ｎ型半導体基板３４上には、ｐ型ウェル層３５が形成されており、ｐ型ウェル層３５の表層には、ｎ型層からなる主副感光部３０ａ，３０ｂおよびＶＣＣＤ３２が形成されている。主感光部３０ａと副感光部３０ｂとの間は、ｐ+層からなるチャネルストップ３３ｂによって電気的に分離されている。
【００２０】
主感光部３０ａとＶＣＣＤ３２との間は、チャネルストップ３３ａ或いはｐ型ウェル層３５によって電気的に分離されている。このｐ型ウェル層３５によって分離された領域上には、転送電極３１ａが延在しており、該領域は、転送電極３１ａの電位に応じて信号電荷を主感光部３０ａからＶＣＣＤ３２へ転送する転送ゲートとして機能する。また、副感光部３０ｂとＶＣＣＤ３２との間は、ｐ型ウェル層３５によって電気的に分離されており、この領域上に転送電極３１ｂが延在している。該領域は、転送電極３１ｂの電位に応じて信号電荷を副感光部３０ｂからＶＣＣＤ３２へ転送する転送ゲートとして機能する。なお、転送電極３１ａ，３１ｂは、転送ゲートを制御するとともに、ＶＣＣＤ３２内における垂直方向への信号電荷の転送を制御する。
【００２１】
また、転送電極３１ａ，３１ｂの上には、遮光膜３６が形成されている。遮光膜３６は、ＶＣＣＤ３２を遮光し、ＶＣＣＤ３２内で光電変換が行われないようしている。主副感光部３０ａ，３０ｂの上には、平坦化層３７を挟んで、Ｒ（赤），Ｇ（緑），Ｂ（青）のいずれかのカラーフィルタ３８と、マイクロレンズ３９とが順に設けられている。なお、カラーフィルタ３８の配列は、いわゆるベイヤー配列となっている。
【００２２】
以上のように構成されたＣＣＤイメージセンサ１２では、主感光部３０ａに蓄積された信号電荷、或いは副感光部３０ｂに蓄積された信号電荷が一斉にＶＣＣＤ３２に転送された後、水平方向の１行分の信号電荷が順次にＨＣＣＤに転送される。１行分の信号電荷は、ＨＣＣＤによって水平方向に順次に転送されるとともに、不図示の出力回路によって電圧信号に変換され、撮像信号として外部出力される。この撮像信号は、主感光部３０ａの信号電荷に基づく主信号Ｍ（ｘ，ｙ）と、副感光部３０ｂの信号電荷に基づく副信号Ｓ（ｘ，ｙ）とからなる。なお、ｘ，ｙはそれぞれ、受光素子３０の水平方向、垂直方向に関する座標位置を表す。
【００２３】
図１に戻り、ＣＣＤイメージセンサ１２から出力された撮像信号は、アナログ信号処理回路２０に入力される。アナログ信号処理回路２０は、入力された撮像信号に対して、相関二重サンプリング処理やゲイン調整などの所定のアナログ信号処理を施し、Ａ／Ｄコンバータ２１に入力する。Ａ／Ｄコンバータ２１は、入力された撮像信号をデジタル変換し、これをノイズ低減回路２２に入力する。
【００２４】
ノイズ低減回路２２は、デジタル化された撮像信号に含まれる副信号Ｓ（ｘ，ｙ）を、ＲＯＭ１４に記憶されたルックアップテーブル（ＬＵＴ）に基づいて変換し、これを主信号Ｍ（ｘ，ｙ）から減ずることでノイズ（スミア）の除去を行う回路である。主信号Ｍ（ｘ，ｙ）と副信号Ｓ（ｘ，ｙ）には、ほぼ同一のノイズ信号が含まれ、副信号Ｓ（ｘ，ｙ）はそのノイズ信号の割合が大きい。
【００２５】
図４は、ＬＵＴを規定する変換関数Ｆｌｕｔ（Ｘ）である。変換関数Ｆｌｕｔ（Ｘ）は、副信号Ｓ（ｘ，ｙ）をノイズ信号に変換する関数であり、所定レベルＬ以下では無変換であり、所定レベルＬ以上では副信号Ｓ（ｘ，ｙ）に含まれる実信号に相当するレベルを減算する。これは、副信号Ｓ（ｘ，ｙ）の所定レベルＬ以下には、ＶＣＣＤ３２に起因したノイズ成分（白浮き状のスミア）が含まれているとみなし、副信号Ｓ（ｘ，ｙ）の所定レベルＬ以上に、そのレベルの上昇に応じて大きくなる受光素子３０に起因したノイズ成分（縦筋状のスミア）が含まれているとみなしている。なお、この変換関数Ｆｌｕｔ（Ｘ）は、ＣＣＤイメージセンサ１２のプロセスルールなどに基づいて調整される。副信号Ｓ（ｘ，ｙ）を変換関数Ｆｌｕｔ（Ｘ）によって変換することによって得られるノイズ信号Ｆｌｕｔ（Ｓ（ｘ，ｙ））を、次式のように、主信号Ｍ（ｘ，ｙ）から減算することによって、スミアが低減された撮像信号Ｆ（ｘ，ｙ）が得られる。
Ｆ（ｘ，ｙ）＝Ｍ（ｘ，ｙ）−Ｆｌｕｔ（Ｓ（ｘ，ｙ））
【００２６】
図５（Ａ）〜（Ｄ）は、ノイズ低減回路２２による変換前後の撮像信号の具体例を示す。図５（Ａ），（Ｂ）はそれぞれ、ＣＣＤイメージセンサ１２のある一水平ラインに基づく主副信号Ｍ（ｘ，ｙ），Ｓ（ｘ，ｙ）を示しており、斜線のハッチング領域は白浮き状のスミア、ドットのハッチング領域は縦筋状のスミアによるノイズ成分を示している。図５（Ｃ）は、ＬＵＴによって生成されたノイズ信号Ｆｌｕｔ（Ｓ（ｘ，ｙ））を示している。図５（Ｄ）は、スミアが低減された撮像信号Ｆ（ｘ，ｙ）を示している。
【００２７】
図１に戻り、ノイズ低減回路２２から出力された撮像信号Ｆ（ｘ，ｙ）は、デジタル信号処理回路２３に入力される。デジタル信号処理回路２３は、撮像信号Ｆ（ｘ，ｙ）に対して、輝度・色差信号変換処理、ガンマ補正、シャープネス補正、コントラスト補正、ホワイトバランス補正などの所定の画像処理を施し、画像処理済みの撮像信号（画像データ）をフレームメモリ２４に一時的に記録する。
【００２８】
フレームメモリ２４に記録された画像データは、操作部１６に含まれるレリーズボタンが押圧操作される前のモニタリング時には、ＬＣＤ１７にスルー画として表示される。ユーザによってレリーズボタンが押圧操作された際には、フレームメモリ２４に記録された画像データは、圧縮伸張回路２５に送られる。
【００２９】
圧縮伸張回路２５は、入力された画像データに対して、所定の圧縮形式（例えばＪＰＥＧ形式）に従って圧縮処理を施し、圧縮済みの画像データをメディアコントローラ２６に入力する。メディアコントローラ２６は、この画像データをメモリカード２７に書き込む制御を行う。なお、再生モードにおいては、メディアコントローラ２６は、メモリカード２７から画像データを読み出し、これを圧縮伸張回路２５に入力する。圧縮伸張回路２５に入力された画像データは伸張処理が施され、ＬＣＤ１７に再生表示される。
【００３０】
上記構成のデジタルカメラ１０の作用を、図６に示すフローチャートに基づいて説明する。デジタルカメラ１０が撮影モードに設定されると、ＬＣＤ１７にスルー画が表示される（ステップＳ１００）。このとき、ＣＣＤイメージセンサ１２からは、垂直画素数を間引いた撮像信号の出力が行われる。ユーザは、ＬＣＤ１７のスルー画をモニタリングしながらレリーズ操作を行う。
【００３１】
ユーザによってレリーズ操作が行われると（ステップＳ１０１のＹｅｓ）、ＣＣＤイメージセンサ１２によって、所定の露出条件で露光（電荷蓄積）が行われる（ステップＳ１０２）。ＣＣＤイメージセンサ１２からの撮像信号の読み出しは、インターライン・トランスファ方式（フレーム読み出し）で行われ、まず、主感光部３０ａから主信号Ｍ（ｘ，ｙ）が読み出され（ステップＳ１０３）、その後、副感光部３０ｂから副信号Ｓ（ｘ，ｙ）が読み出される（ステップＳ１０４）。
【００３２】
主信号Ｍ（ｘ，ｙ）および副信号Ｓ（ｘ，ｙ）は、アナログ信号処理回路２０によって所定のアナログ信号処理が施され（ステップＳ１０５）、Ａ／Ｄコンバータ２１によってデジタル化される（ステップＳ１０６）。次いで、ノイズ低減回路２２によって、副信号Ｓ（ｘ，ｙ）がノイズ信号Ｆｌｕｔ（Ｓ（ｘ，ｙ））に変換され（ステップＳ１０７）、これが主信号Ｍ（ｘ，ｙ）から減算されることにより、スミアが低減された撮像信号Ｆ（ｘ，ｙ）が生成される（ステップＳ１０８）。
【００３３】
この後、撮像信号Ｆ（ｘ，ｙ）は、デジタル信号処理回路２３によって所定のデジタル信号処理が施され（ステップＳ１０９）、１フレーム分の画像データとしてフレームメモリ２４に記録される（ステップＳ１１０）。そして、フレームメモリ２４に記録された画像データは、圧縮伸張回路２５によって所定の圧縮処理が施され（ステップＳ１１１）、メディアコントローラ２６によってメモリカード２７に記録される（ステップＳ１１２）。
【００３４】
上記実施形態によれば、メカニカルシャッタを用いた不要電荷の掃き出しなどを行うことなく、スミアを低減させることができる。また、レリーズ操作後に電荷の掃き出しを行わなくて済むので、レリーズ操作から画像記録までの撮影時間を短縮することができる。
【００３５】
なお、上記実施形態では、主感光部３０ａに隣接するように低感度の副感光部３０ｂを設けているが、本発明はこれに限定されず、副感光部を主感光部から離間された別の位置に設けるようにしてもよい。この例を、図７および図８に示す。
【００３６】
図７は、ハニカム型で別の構造のＣＣＤイメージセンサ４０を示す。高感度の主感光部４１および低感度の副感光部４２は、それぞれ正八角形の受光素子を構成しており、それぞれハニカム状に配列されている。つまり、主感光部４１と副感光部４２とは、水平方向および垂直方向に交互に配列されている。ＣＣＤイメージセンサ４０は、上記実施形態のＣＣＤイメージセンサ１２とは異なり、副感光部を設けることによって主感光部の受光面積が犠牲にされることはなく、受光効率が高い。
【００３７】
図８は、ＷＨＡと称される構造のＣＣＤイメージセンサ５０を示す。高感度の主感光部５１は、図７と同様な正八角形の受光素子を構成している。一方の低感度の副感光部５２は、転送電極３１ａ，３１ｂおよびその上方の遮光膜３６（図３参照）に正八角形の開口を形成することにより、外部に露呈したＶＣＣＤ３２の一部分により構成されている（この構成は、穴あき転送路と称される）。つまり、ＶＣＣＤ３２の一部分が受光部を兼ねている。この場合も、主感光部の受光面積が犠牲にされることはなく、受光効率が高い。
【００３８】
また、受光部の形状は八角形でなくてもよく、例えば正方形であってもよい。また、受光部の配列は、ハニカム状の配列でなくてもよく、例えば正方配列であってもよい。
【００３９】
また、上記実施形態では、１つの主感光部に対して１つの副感光部を設けるようにしているが、本発明は、副感光部の数が主感光部の数より少ない場合にも適用することが可能である。ノイズ低減回路２２では、主信号Ｍ（ｘ，ｙ）と副信号Ｓ（ｘ，ｙ）との信号数（画素数）が同一であることが要されるので、副感光部の数が主感光部の数より少ない場合には、図９に示すように、ノイズ低減回路２２の前段に、副信号Ｓ（ｘ，ｙ）の信号数を補間処理によって変更する補間処理回路６０を設ければよい。補間処理回路６０は、線形補間や重み付け補間によって、副信号Ｓ（ｘ，ｙ）の信号数を増やし、主信号Ｍ（ｘ，ｙ）の信号数に一致させる。なお、主感光部と副感光部とが同数であって、副感光部を間引いて読み出しを行う場合にも、補間処理回路６０を用いることで、主信号Ｍ（ｘ，ｙ）と副信号Ｓ（ｘ，ｙ）の信号数を一致させることができる。
【００４０】
また、上記実施形態では、静止画撮影の場合を例に挙げて説明しているが、本発明はこれに限定されず、動画撮影の場合にも適用することが可能である。動画撮影の場合には、ＣＣＤイメージセンサから出力される連続した複数フレームの画像データが圧縮伸張回路２５によってモーションＪＰＥＧなどの形式の動画ファイルに圧縮される。従って、動画撮影の場合には、ＣＣＤイメージセンサが不要電荷の掃き出しを行わずに連続して露光と電荷転送とを繰り返さなければならないため、スミアの発生が顕著である。このため、本発明は、動画撮影の場合には特に有効である。
【００４１】
また、本発明は、Ａ／Ｄコンバータ２１から出力された直後の主信号Ｍ（ｘ，ｙ）および副信号Ｓ（ｘ，ｙ）からなるＲＡＷデータを、パーソナルコンピュータ（ＰＣ）上で現像処理する際に使用される現像ソフトに適用することも可能である。図１０において、ＰＣ７０には、ＣＰＵ７１、ＲＯＭ７２、ＲＡＭ７３、操作部７４、ＬＣＤ７５、ハードディスクドライブ（ＨＤＤ）７６、およびメディアコントローラ７７が設けられている。メディアコントローラ７７には、着脱式のメモリカード２７が接続される。前述のＲＡＷデータは、メモリカード２７を介してデジタルカメラ１０からＰＣ７０に取り込まれる。
【００４２】
ＨＤＤ７６には、現像ソフト７８が格納されている。現像ソフト７８は、ＲＡＷデータに対して所定の現像処理をＣＰＵ７１に実行させる信号処理プログラムである。この現像処理とは、データ形式がＣＣＤイメージセンサの構成（受光素子やカラーフィルタ配列など）に依存するＲＡＷデータを、ＪＰＥＧやＴＩＦＦなどの標準形式のデータに変換する処理であって、デジタルカメラ１０内のデジタル信号処理回路２３および圧縮伸張回路２５と同等の処理を行う。ただし、ユーザは、この現像処理に際して、操作部７４によってシャープネス補正、コントラスト補正、ホワイトバランス補正などパラメータをマニュアル設定することができる。
【００４３】
ＰＣ７０は、現像ソフト７８に基づいて図１１のフローチャートに示す動作を行う。ユーザの操作によって、現像ソフト７８が起動されると（ステップＳ２００）、ＰＣ７０は、メモリカード２７に記録されたＲＡＷデータをＨＤＤ７６に取り込み（ステップＳ２０１）、ＲＡＷデータに含まれる副信号Ｓ（ｘ，ｙ）をノイズ信号Ｆｌｕｔ（Ｓ（ｘ，ｙ））に変換する（ステップＳ２０２）。なお、現像ソフト７８には前述のＬＵＴが含まれている。
【００４４】
次いで、ＲＡＷデータに含まれる主信号Ｍ（ｘ，ｙ）からノイズ信号Ｆｌｕｔ（Ｓ（ｘ，ｙ））を減算して、スミアが低減された撮像信号Ｆ（ｘ，ｙ）を生成する（ステップＳ２０３）。そして、撮像信号Ｆ（ｘ，ｙ）に対して所定の現像処理を行い、デジタルカメラ１０の機種に依存しないデータ形式の画像データ（例えば、ＪＰＥＧデータ）を生成する（ステップＳ２０４）。
【００４５】
なお、ＲＡＷデータの副信号Ｓ（ｘ，ｙ）の信号数が主信号Ｍ（ｘ，ｙ）の信号数より少ない場合には、図１２に示すように、上記ステップＳ２０１とステップＳ２０２の間に、副信号Ｓ（ｘ，ｙ）の信号数を増やし、主信号Ｍ（ｘ，ｙ）の信号数に一致させる補間処理（ステップＳ３００）を追加すればよい。
【図面の簡単な説明】
【００４６】
【図１】本発明を適用したデジタルカメラの構成を示すブロック図である。
【図２】ＣＣＤイメージセンサの構成を示す概略平面図である。
【図３】ＣＣＤイメージセンサの構成を示す概略縦断面図である。
【図４】ルックアップテーブルを規定する変換関数を示すグラフである。
【図５】ノイズ低減回路による変換前後の一水平ライン分の撮像信号を示すグラフであり、（Ａ）は主信号、（Ｂ）は副信号、（Ｃ）はノイズ信号、（Ｄ）はスミアが低減された撮像信号を示す。
【図６】デジタルカメラの動作を説明するフローチャートである。
【図７】ハニカムプラス構造のＣＣＤイメージセンサを示す概略平面図である。
【図８】ＷＨＡ構造のＣＣＤイメージセンサを示す概略平面図である。
【図９】副信号の補間処理回路を追加した例を示すブロック図である。
【図１０】本発明を適用したパーソナルコンピュータの構成を示すブロック図である。
【図１１】現像ソフトに基づくパーソナルコンピュータの動作を説明するフローチャートである。
【図１２】副信号の補間処理を追加した例を示すフローチャートである。
【符号の説明】
【００４７】
１０  デジタルカメラ
１１  撮像レンズ
１２  ＣＣＤイメージセンサ
１３  システムコントローラ
２１  Ａ／Ｄコンバータ
２２  ノイズ低減回路
２３  デジタル信号処理回路
２５  圧縮伸張回路
２７  メモリカード
３０  受光素子
３０ａ  主感光部
３０ｂ  副感光部
３１ａ，３１ｂ  転送電極
３２  垂直転送路
４０  イメージセンサ
４１  主感光部
４２  副感光部
５０  イメージセンサ
５１  主感光部
５２  副感光部
６０  補間処理回路
７０  パーソナルコンピュータ
７１  ＣＰＵ
７８  現像ソフト
【図１】
2007036352.tif 000003
【図２】
2007036352.tif 000004
【図３】
2007036352.tif 000005
【図４】
2007036352.tif 000006
【図５】
2007036352.tif 000007
【図６】
2007036352.tif 000008
【図７】
2007036352.tif 000009
【図８】
2007036352.tif 000010
【図９】
2007036352.tif 000011
【図１０】
2007036352.tif 000012
【図１１】
2007036352.tif 000013
【図１２】
2007036352.tif 000014